(57)【要約】【課題】吊り下げることができ、スマートフォンの操作が容易なスマートフォン用ケースを提供する。【解決手段】スマートフォン用ケース１０は、スマートフォンＰが装着される保持部１１と、保持部１１が配置される第１カバー部１２と、閉じたときにスマートフォンＰに向き合う第２カバー部１３と、第１カバー部１２および第２カバー部１３を、スマートフォンＰの一方の長辺Ｐ１側で連接した折り返し部１４とを備えたものである。折り返し部１４には、スマートフォンＰの長手方向Ｆ１に沿った両方の端部１４ｔに、吊り下げ用ベルト１７を取り付けるための一対の貫通孔１４ａが形成されている。携行者は、吊り下げ用ベルト１７を肩に掛けると、折り返し部１４を上に、第１カバー部１２と第２カバー部１３とが開く方を下にした状態で、スマートフォンＰが装着されたスマートフォン用ケース１０を肩から吊り下げることができる。【選択図】図５
0003206248.tif 000002
【実用新案登録請求の範囲】
【請求項１】
スマートフォンが装着される保持部と、前記保持部が配置される第１カバー部と、閉じたときに前記スマートフォンに向き合う第２カバー部と、前記第１カバー部および前記第２カバー部を、前記スマートフォンの一方の長辺側で連接した折り返し部とを備え、
前記折り返し部には、前記スマートフォンの長手方向に沿った両方の端部に、吊り下げ用ベルトを取り付けるための一対の貫通孔が形成されたスマートフォン用ケース。
【請求項２】
前記貫通孔には、鳩目が取り付けられている請求項１記載のスマートフォン用ケース。
【請求項３】
前記第１カバー部と前記第２カバー部とには、芯材が内包され、
前記折り返し部には、芯材が無い請求項１または２記載のスマートフォン用ケース。
【請求項４】
前記第１カバー部の前記芯材は、前記スマートフォンの長手方向に沿って折り目が形成され、
前記保持部は、前記折り返し部と反対側となる端部から、前記折り目の位置まで、前記第１カバー部に接着されている請求項３記載のスマートフォン用ケース。
【請求項５】
前記第１カバー部、前記第２カバー部および前記折り返し部のいずれか一つ、その組み合わせ、または全部に、デザインが印刷された請求項１から４のいずれかの項に記載のスマートフォン用ケース。
【考案の詳細な説明】
【技術分野】
【０００１】
本考案は、スマートフォンを保護するためのスマートフォン用ケースに関するものである。
【背景技術】
【０００２】
スマートフォンは、その薄さから、スマートフォン用カバーに装着された状態で、上着のポケットや、ズボンのポケット、カバンに入れて、携帯されることがある。
しかし、スマートフォン用カバーに装着された状態のスマートフォンを、上着のポケットや、ズボンのポケット、カバンに入れて携行すると、嵩張ったり、着信のときに直ぐに応対ができなかったりすることがある。また、意匠性の高いスマートフォン用カバーでは、携行者がこのカバーを所有していることを他人に自慢したいけれど、外から隠れた状態では、他人からは見えない。
【０００３】
このような事情から肩掛け紐を備えた保護用のカバーとして、スマートフォンではないが、特許文献１に記載されたものが知られている。
特許文献１に記載の携帯電話機用キャリングケースは、携帯用電話機を収納する収納部と、収納部の底部に水抜き孔を有し、フレキシブルで防水性の素材によりなるもので、蓋を有する収納部の両端部に携行ベルトが設けられている。
【先行技術文献】
【特許文献】
【０００４】
【特許文献１】実開平４−１０７９４５号公報
【考案の概要】
【考案が解決しようとする課題】
【０００５】
特許文献１に記載の携帯電話機用キャリングケースでは、携行ベルトの両端部が、この収納部の長手方向に沿った両端部に取り付けられているため、携行ベルトを肩に掛け、収納部を吊り下げることで、嵩張ることなく、また、他人からも視認が容易である。
【０００６】
しかし、特許文献１に記載の携帯電話機用キャリングケースでは、二つ折りした携帯電話機を収納して蓋が閉められる収納部に収納されているため、携帯電話機に着信があったときには、蓋を開け、携帯電話機をこの携帯電話機用キャリングケースから取り出す必要があり、煩雑である。
【０００７】
そこで本考案は、吊り下げることができ、スマートフォンの操作が容易なスマートフォン用ケースを提供することを目的とする。
【課題を解決するための手段】
【０００８】
本考案のスマートフォン用ケースは、スマートフォンが装着される保持部と、前記保持部が配置される第１カバー部と、閉じたときに前記スマートフォンに向き合う第２カバー部と、前記第１カバー部および前記第２カバー部を、前記スマートフォンの一方の長辺側で連接した折り返し部とを備え、前記折り返し部には、前記スマートフォンの長手方向に沿った両方の端部に、吊り下げ用ベルトを取り付けるための一対の貫通孔が形成されたことを特徴とする。
【０００９】
本考案のスマートフォン用ケースによれば、折り返し部に形成された一対の貫通孔に、吊り下げ用ベルトを取り付け、吊り下げ用ベルトを肩に掛けたり、襷のように首に掛けたりすると、折り返し部を上に、第１カバー部と第２カバー部とが開く方を下にした状態で、スマートフォンが装着された本考案のスマートフォン用ケースを肩から吊り下げることができる。スマートフォンに着信があると、携行者は、本考案のスマートフォン用ケースを持ち上げ、手帳を開くようにして、第２カバー部を第１カバー部から開けば、吊り下げ用ベルトを肩から外したり、首から外したりすることなく、露出したスマートフォンの表示画面に向かって操作することができる。
【００１０】
前記貫通孔に、鳩目が取り付けられていると、鳩目が貫通孔の周縁部を保護するため、貫通孔に裂け目が生じたり破損したりすることを防止することができる。
【００１１】
前記第１カバー部と前記第２カバー部とには、芯材が内包され、前記折り返し部には、芯材が無いようにすると、携行者が第１カバー部と第２カバー部とを開いた状態で別々の手で持ち、相対的に位置関係が前後しても、折り返し部が柔軟に変形して撓むため、スマートフォンが操作しやすい。
【００１２】
前記第１カバー部の前記芯材は、前記スマートフォンの長手方向に沿って折り目が形成され、前記保持部は、前記折り返し部と反対側となる端部から、前記折り目の位置まで、前記第１カバー部に接着されていることができる。
保持部１１の非接着面が第１カバー部から外れることで、保持部が浮き、第１カバー部との間に隙間ができる。その隙間に指先を入れて、スマートフォンを操作することができため、吊り下げ用ベルトが邪魔にならずに、スマートフォンを両手で操作することができる。
【００１３】
前記第１カバー部、前記第２カバー部および前記折り返し部のいずれか一つ、その組み合わせ、または全部に、デザインが印刷されていると、意匠性の高いスマートフォン用カバーとすることができる。
【考案の効果】
【００１４】
本考案のスマートフォン用ケースによれば、折り返し部に形成された一対の貫通孔に取り付けた吊り下げ用ベルトを、肩から外したり、首から外したりすることなく、露出したスマートフォンの表示画面に向かって操作することができるので、吊り下げながら、スマートフォンを操作することが容易である。
【図面の簡単な説明】
【００１５】
【図１】本考案の実施の形態に係るスマートフォン用ケースが開いた状態の裏側を示す図である。
【図２】図１に示すスマートフォン用ケースが開いた状態のおもて側の図である。
【図３】図１に示すスマートフォン用ケースに吊り下げ用ベルトを取り付けた状態の図である。
【図４】図１に示すスマートフォン用ケースに取り付けた吊り下げ用ベルトを肩に携行者の掛けた状態の使用状態を説明するための図である。
【図５】図１に示すスマートフォン用ケースにスマートフォンを取り付け、開いた状態の図である。
【考案を実施するための形態】
【００１６】
本考案の実施の形態に係るスマートフォン用ケースを図面に基づいて説明する。
図１および図２に示すように、スマートフォン用ケース１０は、二つ折りすることでマートフォンを間に挟んでスマートフォンを覆う保護カバーである。
スマートフォン用ケース１０は、スマートフォンが装着される保持部１１と、保持部１１が配置される第１カバー部１２と、閉じたときにスマートフォンに向き合う第２カバー部１３と、第１カバー部１２および第２カバー部１３を、スマートフォンの一方の長辺Ｐ１側（図５参照）で連接した折り返し部１４とを備えている。
【００１７】
保持部１１は、樹脂製である。保持部１１は、裏面側が、第１カバー部１２に接着されている。本実施の形態では、保持部１１は、折り返し部１４と反対側となる端部１１ｔ（図１参照）から、後述する芯材の折り目１２ｃ（図２参照）の位置までが接着されている。
保持部１１は、スマートフォンが載置される板状部１１１と、スマートフォンの周囲面を囲って保持するための外側に膨らむ周壁部１１２とを備えている。
【００１８】
板状部１１１には、スマートフォンのカメラのレンズを露出させるためのレンズ用孔１１１ａが形成されている。
周壁部１１２には、電源ボタンや、音量調整用ボタン、マナーモード切り替え用ボタンなどの各種のボタンを操作するため、イヤホンジャックや外部機器接続用コネクタにケーブルを接続するため、および、スマートフォンの底面に配置されたマイクのための切り欠き部１１２ａ〜１１２ｄが形成されている。
【００１９】
第１カバー部１２は、スマートフォン用ケース１０を開いたときに、スマートフォン用ケース１０の中心（折り返し部１４）から右側に位置する。第１カバー部１２は、保持部１１の大きさに合わせて略長方形状としている。第１カバー部１２にも、保持部１１のレンズ用孔１１１ａに対応する位置に、レンズ用孔１２ａが形成されている。
第１カバー部１２には、第１カバー部１２の外形に合わせて芯材１２ｂ（図２では、一点鎖線にて示す。）が内装されている。
【００２０】
芯材１２ｂの中央部には、スマートフォン（保持部１１）の長手方向Ｆ１に沿って折り目１２ｃ（図２では、２点鎖線にて示す。）が形成されている。
第１カバー部１２には、基端が、第１カバー部１２の幅方向Ｆ２の端部１２ｔであり、折り返し部１４とは反対側となる端部１２ｔに接続された閉鎖用ベルト１５が設けられている。閉鎖用ベルト１５の先端部分には、磁石１５ａが内装されている。
【００２１】
第２カバー部１３は、スマートフォン用ケース１０を開いたときに、スマートフォン用ケース１０の中心から左側に位置する。第２カバー部１３は、第１カバー部２の大きさに合わせて略長方形状としている。第２カバー部１３には、スマートフォンのスピーカに対応する位置に、スピーカ用孔１３ａが３つ形成されている。
第２カバー部１３には、第２カバー部１３の外形に合わせて芯材１３ｂ（図２では、一点鎖線にて示す。）が内装されている。この芯材１３ｂは、閉鎖用ベルト１５の磁石１５ａが吸着する薄い金属板により形成することができるが、芯材１３ｂを樹脂板や厚紙とし、代わりに閉鎖用ベルト１５の磁石が吸着する磁石を設けてもよい。
【００２２】
折り返し部１４は、折り曲げたときに、第１カバー部１２と第２カバー部１３とが重なりあうように、矩形状としている。この折り返し部１４には、芯材が含まれていない。
折り返し部１４には、スマートフォンの長手方向Ｆ１に沿った両方の端部１４ｔに、吊り下げ用ベルトを取り付けるための一対の貫通孔１４ａが形成されている。
この貫通孔１４ａには、鳩目１４ｂが取り付けられている。
【００２３】
第１カバー部１２と第２カバー部１３と折り返し部１４とは、おもて面用部材Ｓ１と、裏面用部材Ｓ２とが一緒に縫製されていると共に、ポケット部１６が設けられた第２カバー部１３は、このポケット部１６も、おもて面用部材Ｓ１および裏面用部材Ｓ２の縫製の際に一緒に縫製される。
この第１カバー部１２と第２カバー部１３と折り返し部１４とを形成するためのおもて面用部材Ｓ１を印刷面Ｓ３として、デザインが印刷されている。
【００２４】
以上のように構成された本考案の実施の形態に係るスマートフォン用ケースの使用状態について、図面に基づいて説明する。
図３に示すように、折り返し部１４の貫通孔１４ａには、吊り下げ用ベルト１７が取り付けられている。
【００２５】
吊り下げ用ベルト１７は、約１．２ｍの長さに形成され、肩に掛けることが可能なベルト本体１７ａと、ベルト本体１７ａの両端部に形成され、折り返し部１４の貫通孔１４ａに挿通する取付部１７ｂとを備えている。
【００２６】
携行者は、図４に示すように、この吊り下げ用ベルト１７を肩に掛けたり、襷のように首に掛けたりすると、折り返し部１４を上に、第１カバー部１２と第２カバー部１３とが開く方を下にした状態で、スマートフォンが装着されたスマートフォン用ケース１０を肩から吊り下げることができる。
従って、おもて面用部材Ｓ１の印刷面Ｓ３に意匠性の高いデザインを施すことで、他人からもデザインを視認することができる。
【００２７】
このとき、スマートフォンに着信があると、携行者は、スマートフォン用ケース１０を持ち上げ、閉鎖用ベルト１５を第２カバー部１３から外し、図５に示すように、手帳を開くようにして、第２カバー部１３を第１カバー部１２から開けば、吊り下げ用ベルト１７を肩から外したり、首から外したりすることなく、露出したスマートフォンＰの表示画面に向かってタップやフリック、ピンチなどの操作を行うことができる。
従って、スマートフォン用ケース１０は、吊り下げることができ、スマートフォンＰの操作が容易である。
【００２８】
吊り下げ用ベルト１７が取り付けられる折り返し部１４の貫通孔１４ａには、鳩目１４ｂが取り付けられている。そのため、吊り下げ用ベルト１７の取付部１７ｂが鳩目１４ｂの中で移動して擦れても、鳩目１４ｂが貫通孔１４ａの周縁部を保護するため、貫通孔１４ａに裂け目が生じたり破損したりすることを防止することができる。
【００２９】
第１カバー部１２と第２カバー部１３とには、芯材１２ｂ，１３ｂ（図２参照）が内包され、折り返し部１４には、芯材が無いため、携行者が第１カバー部１２を右手に持ち、第２カバー部１３を左手に持って開いた状態で、相対的に位置関係が前後しても、折り返し部１４が柔軟に変形して撓むため、スマートフォンＰが操作しやすい。
【００３０】
第１カバー部１２の芯材１２ｂ（図２参照）に、スマートフォンの長手方向Ｆ１に沿って折り目１２ｃが形成され、保持部１１は、幅方向Ｆ２の端部１１ｔから折り目１２ｃの位置までが接着面１１ｍとなって、第１カバー部１２に接着されているため、保持部１１の接着面１１ｍ以外の非接着面１１ｎが第１カバー部１２から離れることで、保持部１１が浮き、第１カバー部１２との間に隙間ができる。その隙間に指先を入れて、スマートフォンＰを操作することができため、吊り下げ用ベルト１７が邪魔にならずに、スマートフォンＰを両手で操作することができる。
【００３１】
第１カバー部１２、第２カバー部１３および折り返し部１４の全部に、デザインが印刷されているため、意匠性の高いスマートフォン用ケース１０とすることができる。
なお、本実施の形態では、第１カバー部１２、第２カバー部１３および折り返し部１４の全部に、デザインが印刷されているが、第１カバー部１２、第２カバー部１３または折り返し部１４のいずれか、または、これらの組み合わせに、デザインを印刷してもよい。
【産業上の利用可能性】
【００３２】
本考案は、二つ折りしてスマートフォンを挟み込むスマートフォン用ケースに好適である。
【符号の説明】
【００３３】
１０  スマートフォン用ケース
１１  保持部
１１１  板状部
１１１ａ  レンズ用孔
１１２  周壁部
１１２ａ〜１１２ｄ  切り欠き部
１１ｍ  接着面
１１ｎ  非接着面
１１ｔ  端部
１２  第１カバー部
１２ａ  レンズ用孔
１２ｂ  芯材
１２ｃ  折り目
１２ｔ  端部
１３  第２カバー部
１３ａ  スピーカ用孔
１３ｂ  芯材
１４  折り返し部
１４ａ  貫通孔
１４ｂ  鳩目
１４ｔ  端部
１５  閉鎖用ベルト
１５ａ  磁石
１６  ポケット部
１７  吊り下げ用ベルト
１７ａ  ベルト本体
１７ｂ  取付部
Ｆ１  長手方向
Ｆ２  幅方向
Ｓ１  おもて面用部材
Ｓ２  裏面用部材
Ｓ３  印刷面
Ｐ  スマートフォン
Ｐ１  長辺
【図１】
0003206248.tif 000003
【図２】
0003206248.tif 000004
【図３】
0003206248.tif 000005
【図４】
0003206248.tif 000006
【図５】
0003206248.tif 000007